(57)【要約】【課題】使い勝手が向上するコーナー設置用のキッチンの家電品収納装置を提供する。【解決手段】カウンター１ｂ下部のキャビネット１の幅方向に、前面側を閉塞した引出し部２と、前面側へ開放する空間部３を設けて、引出し部２における複数段の引出し１ｃ，１ｄを空間部３の方向に引き出すようにした家電品収納装置の上記空間部３に、天板５ｂ上に炊飯器６又は電気ポット７を載せた状態で出し入れ可能なワゴン５を設ける。【選択図】  図１
2004329476.tif 000002
【特許請求の範囲】
【請求項１】
カウンター下部のキャビネットの幅方向に、前面側を閉塞する引出し部と、前面側へ開放する空間部が設けられ、上記引出し部の複数段の引出しを側方に位置する空間部の方向に引き出すようにしてなる家電品収納装置であって、上記空間部に、天板に炊飯器又は電気ポットを載せた状態で出し入れするワゴンを設けてなるキッチンの家電品収納装置。
【請求項２】
空間部の上方のカウンターの下面側に、炊飯器又は電気ポットから発生する蒸気を吸い込んで排出する蒸気排出ユニットを備える請求項１記載のキッチンの家電品収納装置。
【発明の詳細な説明】
【０００１】
【発明の属する技術分野】
本発明は、キッチンのコーナー部に設置して、炊飯器や電気ポットなどの家電品を収納するキッチンの家電品収納装置に関する。
【０００２】
【従来の技術】
炊飯器や電気ポットなどの家電品を収納するキッチン用家電品収納庫のうちキッチンのコーナー部に設置する収納庫として、図２に示すように、左右の側板１１ａ、背板（図示省略）、上部のカウンター１１ｂ等で構成されるキャビネット１１の前面側の幅方向に、化粧側板１１ｅで前面を覆ってその奥部に複数段の引出し１１ｃ，１１ｄを備える引出し部と、この引出し部の側方に前面側を開放する空間部とを設け、空間部に引き出し自在に設けた引き出し棚１１ｆに炊飯器６や電気ポット（図示省略）等の家電品を載せて手前側に引き出せる構造とし、キャビネット１１の化粧側板１１ｅの前面側に他のキッチンキャビネット８を横付け状態に設置するようにしたものがある。
上記家電品収納庫の炊飯器６や電気ポットが収納される部分の天井面には、これらの機器から発生する蒸気を吸って水分と空気に分け、水分は水受けタンクで受け、空気は室内中に拡散して蒸気を処理する蒸気排出ユニット４が設けられている。
なお、上記したようなキッチンのコーナー部設置用ではなく、前面側全体が開放される一般的に用いられる家電品収納庫で、使用時に蒸気を発生する炊飯器等を載せる載置台を引出し可能としたものが知られている（例えば、特許文献１参照）。
【０００３】
【特許文献１】
特開平１１−１３７３５５号公報（第１−３頁、図１）
【０００４】
図２の従来の技術で示した形態のようにキッチンコーナー設置用であって、前面側を部分的に覆って他のキッチンキャビネット８が横付け状態に設置され、この奥側のキャビネット１１内に横方向に引き出す形式の引出し１１ｃ，１１ｄを設ける構造の家電品収納庫の場合、引き出し棚１１ｆは、炊飯器６や電気ポット等の家電品を載せた状態でキャビネット１１内の空間部に収納する関係から引出し部の上段側に位置する引出し１１ｃよりも下方に位置することになり、上段側の引出し１１ｃを使用する際に、引き出し棚１１ｆを引き出して、引き出し棚１１ｆ上の炊飯器６や電気ポットを一旦取り除くという面倒な作業が伴い、また、家電品を取り除いても引き出し棚１１ｆ自体が邪魔になり、上下段の引出し１１ｃ，１１ｄへの収納物の出し入れがしにくいという問題があった。
【０００５】
【発明が解決しようとする課題】
本発明は、使い勝手のよいコーナー設置用のキッチンの家電品収納装置を提供することにある。
【０００６】
【課題を解決するための手段】
本発明は、次のものに関する。
（１）カウンター下部のキャビネットの幅方向に、前面側を閉塞する引出し部と、前面側へ開放する空間部が設けられ、上記引出し部の複数段の引出しを側方に位置する空間部の方向に引き出すようにしてなる家電品収納装置であって、上記空間部に、天板に炊飯器又は電気ポットを載せた状態で出し入れするワゴンを設けてなるキッチンの家電品収納装置。
（２）空間部の上方のカウンターの下面側に、炊飯器又は電気ポットから発生する蒸気を吸い込んで排出する蒸気排出ユニットを備える上記（１）記載のキッチンの家電品収納装置。
【０００７】
【発明の実施の形態】
天板に炊飯器や電気ポットを載せた状態でキャビネットの空間部に出し入れするワゴンの高さ寸法は、炊飯器の高さ寸法を約３００ｍｍ程度、電気ポットの高さ寸法を約３４０ｍｍ程度と想定し、ワゴンを収納する空間部を設けるキャビネット側のカウンター面までの高さを１０００ｍｍとした場合で、カウンターの厚み及びカウンターの下面に設ける蒸気排出ユニットの高さ寸法を考慮して、５００ｍｍ程度とされる。
炊飯器や電気ポットを載せるワゴンは、蒸気の発生がある炊飯時や湯沸し時にはキャビネット内の空間部に収納した状態で、配膳の際などには空間部から引き出し食卓付近に移動して使用できるように、底面には首振り式のキャスターなどが設けられる。
また、ワゴンの天板下面側のキャビネット内は収納空間として使用できるようにする。
【０００８】
【実施例】
以下、本発明の実施例によるキッチンの家電品収納装置を図１を参照して具体的に説明する。
本発明の実施例によるキッチンの家電品収納装置の使用状態を示す斜視図である図１において、左右に側板１ａ，１ａ、背面側に背板（図示省略）、上部にカウンター１ｂを配して組み付けられたキャビネット１の幅方向の前面の他のキッチンキャビネット８が横付け状態に設置される側の前面は、意匠面としての化粧側板１ｅで覆って閉塞し、この右側にキャビネット１の前面側を開放する空間部３を形成する。
前面を化粧側板１ｅで覆った部分のキャビネット１内の奥側空間は引出し部２として、引出し部２に上下二段の引出し１ｃ，１ｄを設け、これを空間部３が位置する側の横方向に引き出すことにより、空間部３側から引出し１ｃ，１ｄが使用できるようになっている。
【０００９】
一方、炊飯器６又は電気ポット７等の家電品を載せた状態で上記キャビネット１の空間部３に出し入れするワゴン５は、内部を収納空間としたワゴンキャビネット５ａの上部に家電品を載せるための天板５ｂを設け、ワゴンキャビネット５ａの底面側には首振り式のキャスター５ｃ，５ｃを取り付け、天板５ｂ上面の左右両端に設けたハンドル５ｄを手掛けとして、キャビネット１の空間部３から引き出して、配膳時などには食卓付近に移動できるようにした。
【００１０】
上記のワゴン５は、天板５ｂ上に載せた炊飯器６や電気ポット７から蒸気の発生がある炊飯時や湯沸し時はキャビネット１内の空間部３に収納した状態で使用するため、空間部３の上方のカウンター１ｂの下面側には、炊飯器６や電気ポット７から発生する蒸気を吸って水分と空気に分け、水分は水受けタンクで受け、空気は室内中に拡散して蒸気を処理する蒸気排出ユニット４を設けている。
なお、図示は省略したが、ワゴン５を空間部３に収納した状態でワゴン５上の炊飯器６や電気ポット７を使用するため、これら家電品を接続するための電源コンセントが、空間部３奥のキャビネット内に設けられている。
【００１１】
【発明の効果】
本発明によれば、カウンター下部のキャビネットの幅方向に、前面側を閉塞する引出し部と、前面側へ開放する空間部が設けられ、引出し部の複数段の引出しを側方に位置する空間部の方向に引き出すようにしてなる家電品収納装置の上記の空間部に、天板に炊飯器又は電気ポットを載せた状態で出し入れするワゴンを設ける構成としており、従来のように一々炊飯器や電気ポットを取り除くことなく、これらの家電品を載せたワゴンを引き出すだけでキャビネット内の引出しを使用することができて使い勝手が向上する。
また、ワゴンは炊飯器や電気ポットから蒸気の発散がある時にはキャビネットの空間部内で、配膳時には食卓付近へと移動しての状況に応じた使い分けができて便利となる。
【図面の簡単な説明】
【図１】本発明の実施例によるキッチンの家電品収納装置の使用状態を示す斜視図である。
【図２】従来例によるキッチンの家電品収納庫の使用状態を示す斜視図である。
【符号の説明】
１  キャビネット                      １ａ  側板
１ｂ  カウンター                        １ｃ  引出し
１ｄ  引出し                            １ｅ  化粧側板
２  引出し部                            ３  空間部
４  蒸気排出ユニット                    ５  ワゴン
５ａ  ワゴンキャビネット                ５ｂ  天板
５ｃ  キャスター                        ５ｄ  ハンドル
６  炊飯器                              ７  電気ポット
８  キッチンキャビネット              １１  キャビネット
１１ａ  側板                            １１ｂ  カウンター
１１ｃ  引出し                          １１ｄ  引出し
１１ｅ  化粧側板                        １１ｆ  引き出し棚
【図１】
2004329476.tif 000003
【図２】
2004329476.tif 000004